(57)【要約】      （修正有）【課題】正しい姿勢を維持させ発育に有益な学生鞄を提供する。【解決手段】鞄１１の中には収納チャンバ１２が設置され、外壁には第一ファスナー１３が設置される。鞄の右側にはかけひも１４が固定的に設置され、収納チャンバの右側には装着チャンバ１５、装着板１６が設置される。装着板は前記装着チャンバの左壁の中に固定的に装着されることができ、本装置を通じて鞄の一部の重さを臀部に移動でき、また、腰部を支えることで子供に正しい姿勢を維持させ、さらに異なる体格に合わせて調整もでき、より多くの子供に適する。【選択図】図１
2020182777.tif 000002
【特許請求の範囲】
【請求項１】
正面視で、鞄を含み、前記鞄の中には収納チャンバが設置され、前記収納チャンバの外壁には第一ファスナーが設置され、前記鞄の右側にはかけひもが前後対称に、且つ固定的に設置され、前記収納チャンバの右側には装着チャンバが設置され、前記装着チャンバの中には装着板が設置され、前記装着板は前記装着チャンバの左壁の中に固定的に装着されることができ、また、かばんを洗う時に前記装着板を取り外すこともでき、前記装着チャンバの下壁右端には弾性背当て部固定的に設置され、前記弾性背当て部の下端部分と前記装着チャンバとの間には第二ファスナーが設置され、前記装着板と前記鞄との間には支持装置が設置され、前記支持装置の中には昇降装置と伸縮装置とが設置され、前記支持装置の中には支持パッドが設置され、前記支持パッドは臀部に当接して腰部を支えられ、前記支持パッドは臀部に当接することでかばんの肩への負担を軽減し、前記支持パッドは腰部を支えることで脊椎の直立を保たせ、せむしになるのを防げ、前記昇降装置は使用者の体格に合わせて前記支持パッドの高さを調整でき、前記伸縮装置は前記支持パッドの当接具合を調整でき、前記昇降装置と前記伸縮装置とを通じて前記支持パッドを調整し、背部に快適さを感じられることを特徴とする発育に有益な学生鞄。
【請求項２】
前記支持装置は噛合チャンバを含み、前記噛合チャンバは前記装着チャンバの下壁に設置され、前記噛合チャンバの中には内歯車が回転可能に設置され、前記内歯車は前記昇降装置に連結され、前記内歯車の下端には動力軸が固定的に設置され、前記動力軸の下端は外部に伸びており、且つ前記動力軸の下端には第一ノブが固定的に設置され、前記第一ノブを回すことで前記昇降装置を調整でき、前記装着板の中には傘歯車チャンバが設置され、前記傘歯車チャンバの中には駆動傘歯車が回転可能に設置され、前記駆動傘歯車の右端には第二ノブが固定的に設置され、前記第二ノブは前記装着板の右側に位置しており、前記駆動傘歯車の後端には従動傘歯車が噛み合うように設置され、前記従動傘歯車の前後端には移動ネジボルトが固定的に設置され、前記傘歯車チャンバの前後側にはスライド板チャンバが対称的に設置され、前記移動ネジボルトは前記スライド板チャンバの中に伸びており、且つスライド板とネジ山によって連結され、前記スライド板は前記スライド板チャンバの内壁にスライド可能に連結されることを特徴とする請求項１に記載の発育に有益な学生鞄。
【請求項３】
前記昇降装置は右方に開口した昇降チャンバを含み、前記昇降チャンバは前記スライド板チャンバの間に連通するように設置され、前記昇降チャンバの中には昇降板がスライド可能に設置され、前記昇降チャンバの中には右方に開口したガイドスライドチャンバが上下対称に設置され、前記ガイドスライドチャンバの中にはガイドスライド板がスライド可能に設置され、前記ガイドスライド板の右端には固定ブロックが固定的に設置され、前記支持パッドは前記固定ブロックの右端に固定的に設置され、前記支持パッドの左右伸縮により前記ガイドスライド板は左右にスライド連動され、この過程の中、前記ガイドスライド板は前記支持パッドを支持でき、前記昇降板の前後端には昇降ネジボルトが対称的に、且つネジ山によって連結され、前記昇降チャンバの下側にはプーリチャンバが設置され、前記昇降ネジボルトの下端は前記プーリチャンバの中に伸びており、且つ前記昇降ネジボルトの下端にはプーリが固定的に設置され、前記プーリの間には同期ベルトが周設され、前側の前記プーリの下端には伝動軸が固定的に設置され、前記伝動軸の下端は前記噛合チャンバの中に伸びており、且つ前記伝動軸の下端はには平歯車が固定的に設置され、前記平歯車は前記内歯車と噛み合うことができることを特徴とする請求項１に記載の発育に有益な学生鞄。
【請求項４】
前記伸縮装置は駆動スライドチャンバを含み、前記駆動スライドチャンバは前記昇降板の中の中間位置に設置され、前記駆動スライドチャンバの中にはスライド棒が前後対称に、且つスライド可能に設置され、前記スライド棒のうち対称中心から離れた端は前記スライド板チャンバの中に伸びており、且つ前記スライド板と当接しており、前記スライド棒の間には圧縮ばねが固定的に連結され、前記駆動スライドチャンバの右側には右方に開口した伸縮チャンバが設置され、前記伸縮チャンバの中には伸縮棒が二本設置され、、二本の前記伸縮棒は回転可能に連結され、前記伸縮棒の左端は前記スライド棒にヒンジで連結されており、前記固定ブロックの中には従動スライドチャンバが設置され、前記従動スライドチャンバの中にはスライドブロックが前後対称に、且つスライド可能に設置され、前記伸縮棒の右端は前記スライドブロックにヒンジで連結されることを特徴とする請求項１に記載のの発育に有益な学生鞄。
【発明の詳細な説明】
【技術分野】
【０００１】
本発明は鞄技術分野を取り上げ、具体的には発育に有益な学生鞄である。
【背景技術】
【０００２】
今時の学生はさらなるプレッシャーを抱え、宿題も日に日に増していき、毎日重いカバンを背負って登下校しなければならない。しかし、育ち盛りの学生が重たいカバンを背負うと、脊椎が変形になりうる。せむしになると、身長にも発育にも響く。そのため、発育に有益な学生鞄の設計が必要である。本発明は巧妙にカバンの一部の重さを臀部に移り、さらに腰部を支え、良好の姿勢を保たせることができる。また、本装置は使用者の体格に合わせて調整でき、快適さを増す。
【先行技術文献】
【特許文献】
【０００３】
【特許文献１】中国特許出願公開第１０９１５６９７７号明細書
【発明の概要】
【発明が解決しようとする課題】
【０００４】
本発明は発育に有益な学生鞄を提供し、既存技術にある上記の欠点を解消することを目的とする。
【課題を解決するための手段】
【０００５】
本発明の発育に有益な学生鞄は、鞄を含み、前記鞄の中には収納チャンバが設置され、前記収納チャンバの外壁には第一ファスナーが設置され、前記鞄の右側にはかけひもが前後対称に、且つ固定的に設置され、前記収納チャンバの右側には装着チャンバが設置され、前記装着チャンバの中には装着板が設置され、前記装着板は前記装着チャンバの左壁の中に固定的に装着されることができ、また、かばんを洗う時に前記装着板を取り外すこともでき、前記装着チャンバの下壁右端には弾性背当て部固定的に設置され、前記弾性背当て部の下端部分と前記装着チャンバとの間には第二ファスナーが設置され、前記装着板と前記鞄との間には支持装置が設置され、前記支持装置の中には昇降装置と伸縮装置とが設置され、前記支持装置の中には支持パッドが設置され、前記支持パッドは臀部に当接して腰部を支えられ、前記支持パッドは臀部に当接することでかばんの肩への負担を軽減し、前記支持パッドは腰部を支えることで脊椎の直立を保たせ、せむしになるのを防げ、前記昇降装置は使用者の体格に合わせて前記支持パッドの高さを調整でき、前記伸縮装置は前記支持パッドの当接具合を調整でき、前記昇降装置と前記伸縮装置とを通じて前記支持パッドを調整し、背部に快適さを感じられる。
【０００６】
さらなる技術プランとして、前記支持装置は噛合チャンバを含み、前記噛合チャンバは前記装着チャンバの下壁に設置され、前記噛合チャンバの中には内歯車が回転可能に設置され、前記内歯車は前記昇降装置に連結され、前記内歯車の下端には動力軸が固定的に設置され、前記動力軸の下端は外部に伸びており、且つ前記動力軸の下端には第一ノブが固定的に設置され、前記第一ノブを回すことで前記昇降装置を調整でき、前記装着板の中には傘歯車チャンバが設置され、前記傘歯車チャンバの中には駆動傘歯車が回転可能に設置され、前記駆動傘歯車の右端には第二ノブが固定的に設置され、前記第二ノブは前記装着板の右側に位置しており、前記駆動傘歯車の後端には従動傘歯車が噛み合うように設置され、前記従動傘歯車の前後端には移動ネジボルトが固定的に設置され、前記傘歯車チャンバの前後側にはスライド板チャンバが対称的に設置され、前記移動ネジボルトは前記スライド板チャンバの中に伸びており、且つスライド板とネジ山によって連結され、前記スライド板は前記スライド板チャンバの内壁にスライド可能に連結され、前記第二ノブを回すことで前記伸縮装置を調整できる。
【０００７】
さらなる技術プランとして、前記昇降装置は右方に開口した昇降チャンバを含み、前記昇降チャンバは前記スライド板チャンバの間に連通するように設置され、前記昇降チャンバの中には昇降板がスライド可能に設置され、前記昇降チャンバの中には右方に開口したガイドスライドチャンバが上下対称に設置され、前記ガイドスライドチャンバの中にはガイドスライド板がスライド可能に設置され、前記ガイドスライド板の右端には固定ブロックが固定的に設置され、前記支持パッドは前記固定ブロックの右端に固定的に設置され、前記支持パッドの左右伸縮により前記ガイドスライド板は左右にスライド連動され、この過程の中、前記ガイドスライド板は前記支持パッドを支持でき、前記昇降板の前後端には昇降ネジボルトが対称的に、且つネジ山によって連結され、前記昇降チャンバの下側にはプーリチャンバが設置され、前記昇降ネジボルトの下端は前記プーリチャンバの中に伸びており、且つ前記昇降ネジボルトの下端にはプーリが固定的に設置され、前記プーリの間には同期ベルトが周設され、前側の前記プーリの下端には伝動軸が固定的に設置され、前記伝動軸の下端は前記噛合チャンバの中に伸びており、且つ前記伝動軸の下端はには平歯車が固定的に設置され、前記平歯車は前記内歯車と噛み合うことができ、前記装着板を取り付ける時に、前記平歯車と前記内歯車とを噛み合えるように装着する必要がある。
【０００８】
さらなる技術プランとして、前記伸縮装置は駆動スライドチャンバを含み、前記駆動スライドチャンバは前記昇降板の中の中間位置に設置され、前記駆動スライドチャンバの中にはスライド棒が前後対称に、且つスライド可能に設置され、前記スライド棒のうち対称中心から離れた端は前記スライド板チャンバの中に伸びており、且つ前記スライド板と当接しており、前記スライド棒の間には圧縮ばねが固定的に連結され、前記駆動スライドチャンバの右側には右方に開口した伸縮チャンバが設置され、前記伸縮チャンバの中には伸縮棒が二本設置され、、二本の前記伸縮棒は回転可能に連結され、前記伸縮棒の左端は前記スライド棒にヒンジで連結されており、前記固定ブロックの中には従動スライドチャンバが設置され、前記従動スライドチャンバの中にはスライドブロックが前後対称に、且つスライド可能に設置され、前記伸縮棒の右端は前記スライドブロックにヒンジで連結され、前記スライド板に前記スライド棒を互いに近寄らせることで前記伸縮棒を伸びさせることができ、これにより前記固定ブロックを右に移動連動させる。
【発明の効果】
【０００９】
本発明の有益な効果は：本発明はシンプルな構成と簡単な操作方法を有し、本装置を通じて鞄の一部の重さを臀部に移動でき、また、腰部を支えることで子供に正しい姿勢を維持させ、さらに異なる体格に合わせて調整もでき、より多くの子供に適する。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の発育に有益な学生鞄の内部全体構成略図
【図２】図２は図１におけるＡ―Ａ方向からの構成略図
【図３】図３は図１におけるＢの拡大略図
【図４】図４は図３におけるＣ―Ｃ方向からの構成略図
【図５】図５は図３におけるＤ―Ｄ方向からの構成略図
【発明を実施するための形態】
【００１２】
図１〜５を参照し、本発明の発育に有益な学生鞄は、鞄１１を含み、前記鞄１１の中には収納チャンバ１２が設置され、前記収納チャンバ１２の外壁には第一ファスナー  １３が設置され、前記鞄１１の右側にはかけひも１４が前後対称に、且つ固定的に設置され、前記収納チャンバ１２の右側には装着チャンバ１５が設置され、前記装着チャンバ１５の中には装着板１６が設置され、前記装着板１６は前記装着チャンバ１５の左壁の中に固定的に装着されることができ、また、かばんを洗う時に前記装着板１６を取り外すこともでき、前記装着チャンバ１５の下壁右端には弾性背当て部１７固定的に設置され、前記弾性背当て部１７の下端部分と前記装着チャンバ１５との間には第二ファスナー１８が設置され、前記装着板１６と前記鞄１１との間には支持装置１０１が設置され、前記支持装置１０１の中には昇降装置１０２と伸縮装置１０３とが設置され、前記支持装置１０１の中には支持パッド１９が設置され、前記支持パッド１９は臀部に当接して腰部を支えられ、前記支持パッド１９は臀部に当接することでかばんの肩への負担を軽減し、前記支持パッド１９は腰部を支えることで脊椎の直立を保たせ、せむしになるのを防げ、前記昇降装置１０２は使用者の体格に合わせて前記支持パッド１９の高さを調整でき、前記伸縮装置１０３は前記支持パッド１９の当接具合を調整でき、前記昇降装置１０２と前記伸縮装置１０３とを通じて前記支持パッド１９を調整し、背部に快適さを感じられる。
【００１３】
好ましくは、前記支持装置１０１は噛合チャンバ２０を含み、前記噛合チャンバ２０は前記装着チャンバ１５の下壁に設置され、前記噛合チャンバ２０の中には内歯車２１が回転可能に設置され、前記内歯車２１は前記昇降装置１０２に連結され、前記内歯車２１の下端には動力軸２２が固定的に設置され、前記動力軸２２の下端は外部に伸びており、且つ前記動力軸２２の下端には第一ノブ２３が固定的に設置され、前記第一ノブ２３を回すことで前  記昇降装置１０２を調整でき、前記装着板１６の中には傘歯車チャンバ２４が設置され、前記傘歯車チャンバ２４の中には駆動傘歯車２５が回転可能に設置され、前記駆動傘歯車２５の右端には第二ノブ２６が固定的に設置され、前記第二ノブ２６は前記装着板１６の右側に位置しており、前記駆動傘歯車２５の後端には従動傘歯車２７が噛み合うように設置され、前記従動傘歯車２７の前後端には移動ネジボルト２８が固定的に設置され、前記傘歯車チャンバ２４の前後側にはスライド板チャンバ２９が対称的に設置され、前記移動ネジボルト２８は前記スライド板チャンバ２９の中に伸びており、且つスライド板３０とネジ山によって連結され、前記スライド板３０は前記スライド板チャンバ２９の内壁にスライド可能に連結され、前記第二ノブ２６を回すことで前記伸縮装置１０３を調整できる。
【００１４】
好ましくは、前記昇降装置１０２は右方に開口した昇降チャンバ３１を含み、前記昇降チャンバ３１は前記スライド板チャンバの間に連通するように設置され、前記昇降チャンバ３１の中には昇降板３２がスライド可能に設置され、前記昇降チャンバ３１の中には右方に開口したガイドスライドチャンバ３３が上下対称に設置され、前記ガイドスライドチャンバ３３の中にはガイドスライド板３４がスライド可能に設置され、前記ガイドスライド板３４の右端には固定ブロック３５が固定的に設置され、前記支持パッド１９は前記固定ブロック３５の右端に固定的に設置され、前記支持パッド１９の左右伸縮により前記ガイドスライド板３４は左右にスライド連動され、この過程の中、前記ガイドスライド板３４は前記支持パッド１９を支持でき、前記昇降板３２の前後端には昇降ネジボルト３６が対称的に、且つネジ山によって連結され、前記昇降チャンバ３１の下側にはプーリチャンバ３８が設置され、前記昇降ネジボルト３６の下端は前記プーリチャンバ３７の中に伸びており、且つ前記昇降ネジボルト３６の下端にはプーリ３８が固定的に設置され、前記プーリ３８の間には同期ベルト４２が周設され、前側の前記プーリ３８の下端には伝動軸４９が固定的に設置され、前記伝動軸３９の下端は前記噛合チャンバ２０の中に伸びており、且つ前記伝動軸３９の下端はには平歯車４０が固定的に設置され、前記平歯車４０は前記内歯車２１と噛み合うことができ、前記装着板１６を取り付ける時に、前記平歯車４０と前記内歯車２１とを噛み合えるように装着する必要がある。
【００１５】
好ましくは、前記伸縮装置１０３は駆動スライドチャンバ４３を含み、前記駆動スライドチャンバ４３は前記昇降板３２の中の中間位置に設置され、前記駆動スライドチャンバ４３の中にはスライド棒４４が前後対称に、且つスライド可能に設置され、前記スライド棒４４のうち対称中心から離れた端は前記スライド板チャンバ２９の中に伸びており、且つ前記スライド板３０と当接しており、前記スライド棒４４の間には圧縮ばね４５が固定的に連結され、前記駆動スライドチャンバ４３の右側には右方に開口した伸縮チャンバ４６が設置され、前記伸縮チャンバ４６の中には伸縮棒４７が二本設置され、  、二本の前記伸縮棒４７は回転可能に連結され、前記伸縮棒４７の左端は前記スライド棒４４にヒンジで連結されており、前記固定ブロック３５の中には従動スライドチャンバ４８が設置され、前記従動スライドチャンバ４８の中にはスライドブロック４９が前後対称に、且つスライド可能に設置され、前記伸縮棒４７の右端は前記スライドブロック４９にヒンジで連結され、前記スライド板３０に前記スライド棒４４を互いに近寄らせることで前記伸縮棒４７を伸びさせることができ、これにより前記固定ブロック３５を右に移動連動させる。  
【００１６】
支持パッド１９の位置を調整する時に、第一ノブ２３を回し、動力軸２２によって内歯車２１の回転を連動させ、歯車の噛合によって平歯車４０の回転を連動させ、伝動軸３９によって前側のプーリ３８の回転を連動させ、また、同期ベルト４２によって後側のプーリ３８の回転を連動させ、昇降ネジボルト３６の回転を連動させ、ネジ山の連結によって昇降板３２の昇降を連動させ、ガイドスライド板３４によって固定ブロック３５と支持パッド１９との昇降を連動させ、支持パッド１９を適した高度に調整し、第二ノブ２６を回し、駆動傘歯車２５の回転を連動させ、歯車の噛合によって従動傘歯車２７の回転を連動させ、且つ移動ネジボルト２８の回転を連動させ、ネジ山の連結によってスライド板３０を連動させて互いに近寄らせ、これによりスライド棒４４を押し動かして互いに近寄らせ、これにより伸縮棒４７の伸びを連動させ、且つ固定ブロック３５と支持パッド１９とを右に移動連動させ、そして支持パッド１９を適した位置を調整する。
【００１７】
本発明の有益な効果は：本発明はシンプルな構成と簡単な操作方法を有し、本装置を通じて鞄の一部の重さを臀部に移動でき、また、腰部を支えることで子供に正しい姿勢を維持させ、さらに異なる体格に合わせて調整もでき、より多くの子供に適する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020182777.tif 000003
【図２】
2020182777.tif 000004
【図３】
2020182777.tif 000005
【図４】
2020182777.tif 000006
【図５】
2020182777.tif 000007
【手続補正書】
【提出日】令和2年2月21日(2020.2.21)
【手続補正１】
【補正対象書類名】特許請求の範囲
【補正対象項目名】請求項１
【補正方法】変更
【補正の内容】
【請求項１】
正面視で、鞄を含み、前記鞄の中には収納チャンバが設置され、前記収納チャンバの外壁には第一ファスナーが設置され、前記鞄の右側にはかけひもが前後対称に、且つ固定的に設置され、前記収納チャンバの右側には装着チャンバが設置され、前記装着チャンバの中には装着板が設置され、前記装着板は前記装着チャンバの左壁の中に固定的に装着されることができ、また、かばんを洗う時に前記装着板を取り外すこともでき、前記装着チャンバの下壁右端には弾性背当て部が固定的に設置され、前記弾性背当て部の前端、上端および後端部分と前記装着チャンバとの間には第二ファスナーが設置され、前記装着板と前記鞄との間には支持装置が設置され、前記支持装置の中には昇降装置と伸縮装置とが設置され、前記支持装置の中には支持パッドが設置され、前記支持パッドは臀部に当接して腰部を支えられ、前記支持パッドは臀部に当接することでかばんの肩への負担を軽減し、前記支持パッドは腰部を支えることで脊椎の直立を保たせ、せむしになるのを防げ、前記昇降装置は使用者の体格に合わせて前記支持パッドの高さを調整でき、前記伸縮装置は前記支持パッドの当接具合を調整でき、前記昇降装置と前記伸縮装置とを通じて前記支持パッドを調整し、背部に快適さを感じられることを特徴とする発育に有益な学生鞄。
【手続補正２】
【補正対象書類名】明細書
【補正対象項目名】全文
【補正方法】変更
【補正の内容】
【発明の詳細な説明】
【技術分野】
【０００１】
本発明は鞄技術分野を取り上げ、具体的には発育に有益な学生鞄である。
【背景技術】
【０００２】
今時の学生はさらなるプレッシャーを抱え、宿題も日に日に増していき、毎日重いカバンを背負って登下校しなければならない。しかし、育ち盛りの学生が重たいカバンを背負うと、脊椎が変形になりうる。せむしになると、身長にも発育にも響く。そのため、発育に有益な学生鞄の設計が必要である。本発明は巧妙にカバンの一部の重さを臀部に移り、さらに腰部を支え、良好の姿勢を保たせることができる。また、本装置は使用者の体格に合わせて調整でき、快適さを増す。
【先行技術文献】
【特許文献】
【０００３】
【特許文献１】中国特許出願公開第１０９１５６９７７号明細書
【発明の概要】
【発明が解決しようとする課題】
【０００４】
本発明は発育に有益な学生鞄を提供し、既存技術にある上記の欠点を解消することを目的とする。
【課題を解決するための手段】
【０００５】
本発明の発育に有益な学生鞄は、鞄を含み、前記鞄の中には収納チャンバが設置され、前記収納チャンバの外壁には第一ファスナーが設置され、前記鞄の右側にはかけひもが前後対称に、且つ固定的に設置され、前記収納チャンバの右側には装着チャンバが設置され、前記装着チャンバの中には装着板が設置され、前記装着板は前記装着チャンバの左壁の中に固定的に装着されることができ、また、かばんを洗う時に前記装着板を取り外すこともでき、前記装着チャンバの下壁右端には弾性背当て部が固定的に設置され、前記弾性背当て部の前端、上端および後端部分と前記装着チャンバとの間には第二ファスナーが設置され、前記装着板と前記鞄との間には支持装置が設置され、前記支持装置の中には昇降装置と伸縮装置とが設置され、前記支持装置の中には支持パッドが設置され、前記支持パッドは臀部に当接して腰部を支えられ、前記支持パッドは臀部に当接することでかばんの肩への負担を軽減し、前記支持パッドは腰部を支えることで脊椎の直立を保たせ、せむしになるのを防げ、前記昇降装置は使用者の体格に合わせて前記支持パッドの高さを調整でき、前記伸縮装置は前記支持パッドの当接具合を調整でき、前記昇降装置と前記伸縮装置とを通じて前記支持パッドを調整し、背部に快適さを感じられる。
【０００６】
さらなる技術プランとして、前記支持装置は噛合チャンバを含み、前記噛合チャンバは前記装着チャンバの下壁に設置され、前記噛合チャンバの中には内歯車が回転可能に設置され、前記内歯車は前記昇降装置に連結され、前記内歯車の下端には動力軸が固定的に設置され、前記動力軸の下端は外部に伸びており、且つ前記動力軸の下端には第一ノブが固定的に設置され、前記第一ノブを回すことで前記昇降装置を調整でき、前記装着板の中には傘歯車チャンバが設置され、前記傘歯車チャンバの中には駆動傘歯車が回転可能に設置され、前記駆動傘歯車の右端には第二ノブが固定的に設置され、前記第二ノブは前記装着板の右側に位置しており、前記駆動傘歯車の後端には従動傘歯車が噛み合うように設置され、前記従動傘歯車の前後端には移動ネジボルトが固定的に設置され、前記傘歯車チャンバの前後側にはスライド板チャンバが対称的に設置され、前記移動ネジボルトは前記スライド板チャンバの中に伸びており、且つスライド板とネジ山によって連結され、前記スライド板は前記スライド板チャンバの内壁にスライド可能に連結され、前記第二ノブを回すことで前記伸縮装置を調整できる。
【０００７】
さらなる技術プランとして、前記昇降装置は右方に開口した昇降チャンバを含み、前記昇降チャンバは前記スライド板チャンバの間に連通するように設置され、前記昇降チャンバの中には昇降板がスライド可能に設置され、前記昇降チャンバの中には右方に開口したガイドスライドチャンバが上下対称に設置され、前記ガイドスライドチャンバの中にはガイドスライド板がスライド可能に設置され、前記ガイドスライド板の右端には固定ブロックが固定的に設置され、前記支持パッドは前記固定ブロックの右端に固定的に設置され、前記支持パッドの左右伸縮により前記ガイドスライド板は左右にスライド連動され、この過程の中、前記ガイドスライド板は前記支持パッドを支持でき、前記昇降板の前後端には昇降ネジボルトが対称的に、且つネジ山によって連結され、前記昇降チャンバの下側にはプーリチャンバが設置され、前記昇降ネジボルトの下端は前記プーリチャンバの中に伸びており、且つ前記昇降ネジボルトの下端にはプーリが固定的に設置され、前記プーリの間には同期ベルトが周設され、前側の前記プーリの下端には伝動軸が固定的に設置され、前記伝動軸の下端は前記噛合チャンバの中に伸びており、且つ前記伝動軸の下端はには平歯車が固定的に設置され、前記平歯車は前記内歯車と噛み合うことができ、前記装着板を取り付ける時に、前記平歯車と前記内歯車とを噛み合えるように装着する必要がある。
【０００８】
さらなる技術プランとして、前記伸縮装置は駆動スライドチャンバを含み、前記駆動スライドチャンバは前記昇降板の中の中間位置に設置され、前記駆動スライドチャンバの中にはスライド棒が前後対称に、且つスライド可能に設置され、前記スライド棒のうち対称中心から離れた端は前記スライド板チャンバの中に伸びており、且つ前記スライド板と当接しており、前記スライド棒の間には圧縮ばねが固定的に連結され、前記駆動スライドチャンバの右側には右方に開口した伸縮チャンバが設置され、前記伸縮チャンバの中には伸縮棒が二本設置され、、二本の前記伸縮棒は回転可能に連結され、前記伸縮棒の左端は前記スライド棒にヒンジで連結されており、前記固定ブロックの中には従動スライドチャンバが設置され、前記従動スライドチャンバの中にはスライドブロックが前後対称に、且つスライド可能に設置され、前記伸縮棒の右端は前記スライドブロックにヒンジで連結され、前記スライド板に前記スライド棒を互いに近寄らせることで前記伸縮棒を伸びさせることができ、これにより前記固定ブロックを右に移動連動させる。
【発明の効果】
【０００９】
本発明の有益な効果は：本発明はシンプルな構成と簡単な操作方法を有し、本装置を通じて鞄の一部の重さを臀部に移動でき、また、腰部を支えることで子供に正しい姿勢を維持させ、さらに異なる体格に合わせて調整もでき、より多くの子供に適する。
【図面の簡単な説明】
【００１０】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の発育に有益な学生鞄の内部全体構成略図
【図２】図２は図１におけるＡ―Ａ方向からの構成略図
【図３】図３は図１におけるＢの拡大略図
【図４】図４は図３におけるＣ―Ｃ方向からの構成略図
【図５】図５は図３におけるＤ―Ｄ方向からの構成略図
【発明を実施するための形態】
【００１２】
図１〜５を参照し、本発明の発育に有益な学生鞄は、鞄１１を含み、前記鞄１１の中には収納チャンバ１２が設置され、前記収納チャンバ１２の外壁には第一ファスナー１３が設置され、前記鞄１１の右側にはかけひも１４が前後対称に、且つ固定的に設置され、前記収納チャンバ１２の右側には装着チャンバ１５が設置され、前記装着チャンバ１５の中には装着板１６が設置され、前記装着板１６は前記装着チャンバ１５の左壁の中に固定的に装着されることができ、また、かばんを洗う時に前記装着板１６を取り外すこともでき、前記装着チャンバ１５の下壁右端には弾性背当て部１７が固定的に設置され、前記弾性背当て部１７の前端、上端および後端部分と前記装着チャンバ１５との間には第二ファスナー１８が設置され、前記装着板１６と前記鞄１１との間には支持装置１０１が設置され、前記支持装置１０１の中には昇降装置１０２と伸縮装置１０３とが設置され、前記支持装置１０１の中には支持パッド１９が設置され、前記支持パッド１９は臀部に当接して腰部を支えられ、前記支持パッド１９は臀部に当接することでかばんの肩への負担を軽減し、前記支持パッド１９は腰部を支えることで脊椎の直立を保たせ、せむしになるのを防げ、前記昇降装置１０２は使用者の体格に合わせて前記支持パッド１９の高さを調整でき、前記伸縮装置１０３は前記支持パッド１９の当接具合を調整でき、前記昇降装置１０２と前記伸縮装置１０３とを通じて前記支持パッド１９を調整し、背部に快適さを感じられる。
【００１３】
好ましくは、前記支持装置１０１は噛合チャンバ２０を含み、前記噛合チャンバ２０は前記装着チャンバ１５の下壁に設置され、前記噛合チャンバ２０の中には内歯車２１が回転可能に設置され、前記内歯車２１は前記昇降装置１０２に連結され、前記内歯車２１の下端には動力軸２２が固定的に設置され、前記動力軸２２の下端は外部に伸びており、且つ前記動力軸２２の下端には第一ノブ２３が固定的に設置され、前記第一ノブ２３を回すことで前  記昇降装置１０２を調整でき、前記装着板１６の中には傘歯車チャンバ２４が設置され、前記傘歯車チャンバ２４の中には駆動傘歯車２５が回転可能に設置され、前記駆動傘歯車２５の右端には第二ノブ２６が固定的に設置され、前記第二ノブ２６は前記装着板１６の右側に位置しており、前記駆動傘歯車２５の後端には従動傘歯車２７が噛み合うように設置され、前記従動傘歯車２７の前後端には移動ネジボルト２８が固定的に設置され、前記傘歯車チャンバ２４の前後側にはスライド板チャンバ２９が対称的に設置され、前記移動ネジボルト２８は前記スライド板チャンバ２９の中に伸びており、且つスライド板３０とネジ山によって連結され、前記スライド板３０は前記スライド板チャンバ２９の内壁にスライド可能に連結され、前記第二ノブ２６を回すことで前記伸縮装置１０３を調整できる。
【００１４】
好ましくは、前記昇降装置１０２は右方に開口した昇降チャンバ３１を含み、前記昇降チャンバ３１は前記スライド板チャンバの間に連通するように設置され、前記昇降チャンバ３１の中には昇降板３２がスライド可能に設置され、前記昇降チャンバ３１の中には右方に開口したガイドスライドチャンバ３３が上下対称に設置され、前記ガイドスライドチャンバ３３の中にはガイドスライド板３４がスライド可能に設置され、前記ガイドスライド板３４の右端には固定ブロック３５が固定的に設置され、前記支持パッド１９は前記固定ブロック３５の右端に固定的に設置され、前記支持パッド１９の左右伸縮により前記ガイドスライド板３４は左右にスライド連動され、この過程の中、前記ガイドスライド板３４は前記支持パッド１９を支持でき、前記昇降板３２の前後端には昇降ネジボルト３６が対称的に、且つネジ山によって連結され、前記昇降チャンバ３１の下側にはプーリチャンバ３８が設置され、前記昇降ネジボルト３６の下端は前記プーリチャンバ３７の中に伸びており、且つ前記昇降ネジボルト３６の下端にはプーリ３８が固定的に設置され、前記プーリ３８の間には同期ベルト４２が周設され、前側の前記プーリ３８の下端には伝動軸４９が固定的に設置され、前記伝動軸３９の下端は前記噛合チャンバ２０の中に伸びており、且つ前記伝動軸３９の下端はには平歯車４０が固定的に設置され、前記平歯車４０は前記内歯車２１と噛み合うことができ、前記装着板１６を取り付ける時に、前記平歯車４０と前記内歯車２１とを噛み合えるように装着する必要がある。
【００１５】
好ましくは、前記伸縮装置１０３は駆動スライドチャンバ４３を含み、前記駆動スライドチャンバ４３は前記昇降板３２の中の中間位置に設置され、前記駆動スライドチャンバ４３の中にはスライド棒４４が前後対称に、且つスライド可能に設置され、前記スライド棒４４のうち対称中心から離れた端は前記スライド板チャンバ２９の中に伸びており、且つ前記スライド板３０と当接しており、前記スライド棒４４の間には圧縮ばね４５が固定的に連結され、前記駆動スライドチャンバ４３の右側には右方に開口した伸縮チャンバ４６が設置され、前記伸縮チャンバ４６の中には伸縮棒４７が二本設置され、  、二本の前記伸縮棒４７は回転可能に連結され、前記伸縮棒４７の左端は前記スライド棒４４にヒンジで連結されており、前記固定ブロック３５の中には従動スライドチャンバ４８が設置され、前記従動スライドチャンバ４８の中にはスライドブロック４９が前後対称に、且つスライド可能に設置され、前記伸縮棒４７の右端は前記スライドブロック４９にヒンジで連結され、前記スライド板３０に前記スライド棒４４を互いに近寄らせることで前記伸縮棒４７を伸びさせることができ、これにより前記固定ブロック３５を右に移動連動させる。  
【００１６】
支持パッド１９の位置を調整する時に、第一ノブ２３を回し、動力軸２２によって内歯車２１の回転を連動させ、歯車の噛合によって平歯車４０の回転を連動させ、伝動軸３９によって前側のプーリ３８の回転を連動させ、また、同期ベルト４２によって後側のプーリ３８の回転を連動させ、昇降ネジボルト３６の回転を連動させ、ネジ山の連結によって昇降板３２の昇降を連動させ、ガイドスライド板３４によって固定ブロック３５と支持パッド１９との昇降を連動させ、支持パッド１９を適した高度に調整し、第二ノブ２６を回し、駆動傘歯車２５の回転を連動させ、歯車の噛合によって従動傘歯車２７の回転を連動させ、且つ移動ネジボルト２８の回転を連動させ、ネジ山の連結によってスライド板３０を連動させて互いに近寄らせ、これによりスライド棒４４を押し動かして互いに近寄らせ、これにより伸縮棒４７の伸びを連動させ、且つ固定ブロック３５と支持パッド１９とを右に移動連動させ、そして支持パッド１９を適した位置を調整する。
【００１７】
本発明の有益な効果は：本発明はシンプルな構成と簡単な操作方法を有し、本装置を通じて鞄の一部の重さを臀部に移動でき、また、腰部を支えることで子供に正しい姿勢を維持させ、さらに異なる体格に合わせて調整もでき、より多くの子供に適する。
【００１８】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。